(57)【要約】 【課題】  部品点数を極力減らすこと、また重量設置物の底面に直接簡単に取付けることができること、また、据付現場の凹所又は／及び傾斜面の状況に対応して高さ調整が簡単にできること。【解決手段】  重量設置物４の底板４ａの底面に添設される固定枠１１と、この固定枠に垂直状態に差込固定され、かつ、固定枠を前記底板に固着する機能を有する高さ調節部材２０と、この高さ調節部材に対して所要の間隔を有して離間し、かつ、前記固定枠を前記底板に固着する固着手段３０とから成る自動販売機、熱交換機など重量設置物用据付固定具。【選択図】  図３
2005155747.tif 000002
【特許請求の範囲】
【請求項１】
重量設置物４の底板４ａの底面に添設される固定枠１１と、この固定枠に垂直状態に差込固定され、かつ、固定枠を前記底板に固着する機能を有する高さ調節部材２０と、この高さ調節部材に対して所要の間隔を有して離間し、かつ、前記固定枠を前記底板に固着する固着手段３０とから成る自動販売機、熱交換機など重量設置物用据付固定具。
【請求項２】
請求項１に於いて、高さ調節部材２０は、固定枠の下方の大径支持孔１６及び上方の小径第１貫通孔１３にそれぞれ嵌合し、かつ、重量設置物４の底メネジ孔６に螺合する嵌合支持脚２１と、嵌合支持脚２１の下端部に螺着するボルト状支持脚２２とから成る自動販売機、熱交換機など重量設置物用据付固定具。
【請求項３】
請求項２に於いて、ボルト状支持脚２２は、重量設置物４の底メネジ孔６に対しても単独で螺着躯可能であることを特徴とする自動販売機、熱交換機など重量設置物用据付固定具。
【請求項４】
重量設置物４の底板４ａの底面に添設される固定枠１１と、この固定枠に垂直状態に差込固定され、かつ、固定枠を前記底板に固着する機能を有する高さ調節部材２０Ａと、この高さ調節部材に対して所要の間隔を有して離間し、かつ、前記固定枠を前記底板に固着する固着手段３０とから成り、前記高さ調節部材２０Ａは、固定枠１１の下方の大径支持孔１６及び上方の小径第１貫通孔１３にそれぞれ嵌合し、かつ、重量設置物４の底メネジ孔６に螺合する嵌合支持脚２１と、嵌合支持脚２１の下端部に螺着する揺動螺杆部２７Ａを有するボルト状支持脚２２Ａとから成る自動販売機、熱交換機など重量設置物用据付固定具。
【請求項５】
重量設置物４の底板４ａの底面に添設される複数個の固定枠１１と、これらの固定枠に垂直状態にそれぞれ差込固定され、かつ、各固定枠を前記底板に固着する機能を有する選択的な第１及び第２の高さ調節部材２０、２０Ａと、これらの高さ調節部材に対して所要の間隔を有して離間し、かつ、前記固定枠を前記底板にそれぞれ固着する複数個の固着手段３０とから成る自動販売機、熱交換機など重量設置物用据付固定具。
【発明の詳細な説明】
【技術分野】
【０００１】
本発明は、凹所や傾斜面を有する設置床面に対して自動販売機、熱交換機など重量設置物を固定的に設置する際に用いられる自動販売機、熱交換機など重量設置物用据付固定具に関する。
【背景技術】
【０００２】
重量設置物に一例としての自動販売機の底面四隅には、垂直なボルト状支持脚が下方に突出して設けられている。自動販売機の設置にあたっては、これら４本の支持脚を、それぞれ止め金、アンカーボルト等を介して設置床面に固定する。例えば特許文献１及び特許文献２に記載の自動販売機固定装置は、前後に長く上向に開口した直線形溝状の積載フレームを、アンカーボルトを介して設置基盤上に固定し、この積載フレーム上に自動販売機 の前後の支持脚を載置して前後の支持脚を前後から係止金具で挾み込むことように固定し、これにより自動販売機の移動や傾倒を防止している。
【０００３】
しかして、特許文献１の場合、前記積載フレームの一端側には、設置床面（基盤）の高位置側に固定される高位置側支持金具が回動自在に連結され、一方、積載フレームの他端側には、設置床面の低位置側に固定される低位置側支持脚が高さ調整可能に装着されているので、傾斜した設置床面においても、自動販売機を安全かつ容易に設置することができるという利点がある。一方、特許文献２の場合、自動販売機を高強度で確実に固定し、かつ、水平調整を容易にして設置作業を効率的に行えるという利点がある。
【０００４】
しかしながら、特許文献１，２の技術は、直線形溝状の積載フレーム、該積載フレーム内に前後に組み込まれる複数個の脚用係止金具、複数個の固定手段等を構成要件としているので、非常に部品点数が多くなり、製作コストがかかるのみならず、自動販売機に対する取付けや据付が面倒であるという問題点があった。なお、特許文献３に記載の高さ調節脚は、ターンバックル式なので、構成が複雑であるという問題点がある。
【特許文献１】特開平９−１９６２８６号
【特許文献２】特開平１１−１０８２９４号
【特許文献３】特開平８−２２６５９４号
【発明の開示】
【発明が解決しようとする課題】
【０００５】
本発明は、部品点数を極力減らすこと、また自動販売機、熱交換機など重量設置物の底面に直接簡単に取付けることができること、また、据付現場の凹所又は／及び傾斜面の状況に対応して高さ調整が簡単にできることを目的とする。
【課題を解決するための手段】
【０００６】
本発明の自動販売機、熱交換機など重量設置物用据付固定具は、重量設置物４の底板４ａの底面に添設される固定枠１１と、この固定枠に垂直状態に差込固定され、かつ、固定枠を前記底板に固着する機能を有する高さ調節部材２０と、この高さ調節部材に対して所要の間隔を有して離間し、かつ、前記固定枠を前記底板に固着する固着手段３０とから成る。
【０００７】
また、本発明の自動販売機、熱交換機など重量設置物用据付固定具は、重量設置物４の底板４ａの底面に添設される固定枠１１と、この固定枠に垂直状態に差込固定され、かつ、固定枠を前記底板に固着する機能を有する高さ調節部材２０Ａと、この高さ調節部材に対して所要の間隔を有して離間し、かつ、前記固定枠を前記底板に固着する固着手段３０とから成り、前記高さ調節部材２０Ａは、固定枠１１の下方の大径支持孔１６及び上方の小径第１貫通孔１３にそれぞれ嵌合し、かつ、重量設置物４の底メネジ孔６に螺合する嵌合支持脚２１と、嵌合支持脚２１の下端部に螺着する揺動螺杆部２７Ａを有するボルト状支持脚２２Ａとから成る。
【０００８】
さらに、本発明の自動販売機、熱交換機など重量設置物用据付固定具は、重量設置物４の底板４ａの底面に添設される複数個の固定枠１１と、これらの固定枠に垂直状態にそれぞれ差込固定され、かつ、各固定枠を前記底板に固着する機能を有する選択的な第１及び第２の高さ調節部材２０、２０Ａと、これらの高さ調節部材に対して所要の間隔を有して離間し、かつ、前記固定枠を前記底板にそれぞれ固着する複数個の固着手段３０とから成る。
【発明の効果】
【０００９】
（１）部品点数を極力減らすことができる。したがって、製作費用を可能な限り低く抑えることができる。
（２）また、部品点数が少なく、各部材が合理的に構成されているので、重量設置物の底面に直接簡単に取付けることができる。したがって、据付作業時間の短縮化を図ることができる。
（３）据付現場の凹所又は／及び傾斜面の状況に対応して高さ調整が簡単にできる。特に、請求項４に記載の発明は、据付現場の設置床面に凹所と傾斜面の両方が存在する場合に適宜に対応することができる。
【発明を実施するための最良の形態】
【００１０】
以下、図１乃至図４に示す第１実施例により本発明を説明する。１は設置床面で、例えば屋外のコンクリート床面である。この設置床面は、普通一般に平坦であるが、場所によっては単数又は複数個の凹所２や傾斜面３が存在する。４は自動販売機、熱交換機など重量設置物で、本実施例では重量設置物４として縦型重量物（例えば自動販売機）を正面視で図示する。重量設置物４に便宜上符号を付すと、４ａは支持される部分となる底板、４ｂは底板に直交する左右前後の側壁板、４ｃは底板に対する天板である。
【００１１】
５は重量設置物４の底板４ａの下面に添設状態に固定される重量設置物用の第１の据付固定具である。この第１の据付固定具５は、前述した設置床面１の凹所２の真上に重量設置４を設置せざるを得ない場合に於いて、凹所２の数に対応して用いられる。例えば重量設置４の四隅に選択的に単数又は複数個（２個〜３個）取付けられる。本実施例では、説明を簡単にするために、設置床面１に１個の凹所２が存在する場合を想定し、図２乃至図４を参照にして据付固定具５を説明する。
【００１２】
図２は主要部の概略断面説明図である。前述したように、４ａは重量設置物４の底板で、この底板４ａの四隅には、それぞれ複数個の垂直取付け孔が形成されている。その一種は貫通の底メネジ孔６であり、他の一種は底メネジ孔６に対して所要の間隔を有して離間する底貫通孔７である。一つ底メネジ孔６と一つの底貫通孔７はペアーとなっている。
【００１３】
さて、据付固定具５は、本実施例では、重量設置物４の底板４ａの底面（下面）に添設される固定枠１１と、この固定枠１１に垂直状態に差込固定され、かつ、固定枠１１を前記底板４ａに固着する機能を有する高さ調節部材２０と、この高さ調節部材２０に対して所要の間隔を有して離間し、かつ、前記固定枠１１を前記底板４ａに固着する固着手段３０とから構成されている。そこで、据付固定具５の構成部材１１、２０、３０について順次説明する。
【００１４】
（Ａ）固定枠１１
図３の斜視図を参照に説明すると、１２は端面下向きコ字型の当接支持板で、この当接支持板１２は、底板４ａの底面に面接触する壁状上方支持部１２ａと、この上方支持部１２ａの長い方の両端部からそれぞれ下方に連設する前後或いは左右一対の側壁状対向部１２ｂ、１２ｂとを有する。
【００１５】
しかして、前記上方支持部１２ａの一端部側には重量設置物４の底メネジ孔６と符合する第１貫通孔（例えば円形孔）１３が形成され、一方、上方支持部１２ａの他端部側には重量設置物４の底貫通孔７と符合する第２貫通孔（例えば長孔）１４が形成されている。
【００１６】
１５は前記対向部１２ｂ、１２ｂの下端部に前記上方支持部１２ａの一端部側に対向するように固定された下方支持短板で、この下方支持短板１５の中央部には前記第１貫通孔（円形孔）１３よりも大径の支持孔１６が形成されている。１７は下方支持短板の存在しない下端開口部分である。なお、固定枠１１は端面下向きコ字型に形成されているが、端面Ｌ型状であっても良い。
【００１７】
（Ｂ）高さ調節部材２０
高さ調節部材２０は、固定枠１１の下方に位置する大径支持孔１６及び上方に位置する小径第１貫通孔１３にそれぞれ差込嵌合し、かつ、重量設置物４の底メネジ孔６に螺合する嵌合支持脚２１と、高さ調節するために嵌合支持脚２１の下端部に所要位置まで螺着するボルト状支持脚２２とから成る。後者のボルト状支持脚２２は、本実施例では重量設置物４の底メネジ孔６に対しても単独で螺着躯可能である（図１参照）。
【００１８】
しかして、前記嵌合支持脚２１は、下端面から上端部寄りの部位まで形成されたメネジ部２３を有する縦長ナット２４と、この縦長ナット２４の上端面に突設されたオネジ部２５とを有する。
【００１９】
高さ調節部材２０が固定枠１１に差込嵌合すると、縦長ナット２４の上端面は、固定枠１１の上方支持部１２ａの内壁面に面接触して該固定枠１１を重量設置物４の底板４ａにフイット状態に押し付ける。また下方の支持脚２２は、固定枠の小径第１貫通孔１３を貫通して重量設置物４の底メネジ孔６に螺合する。
【００２０】
一方、支持脚２２は、設置床面１の凹所２の内壁底面にセットされる据付板部２６と、この据付板部２６に垂直状態に設けられた非揺動型調節螺杆部２７から成る。なお、据付板部２６の座板形状、アンカーボルト用の取付け孔の有無等については任意に設計変更可能である。
【００２１】
（Ｃ）固着手段３０
固着手段３０は、高さ調節部材１と相俟って（一緒になって）固定枠１１を重量設置物４の底板４ａに固定する補助的な部材である。本実施例では固定枠１１が水平状態で移動しないように「２点」で固定している。換言すれば、図２で示すように、固着手段３０は、高さ調節部材２０に対して所要の間隔を有して離間し、かつ、前述した底板４ａの底貫通孔７及び固定枠１１の第２貫通孔１４を介して固定枠１１を前記底板４ａに確実に固着する。
【００２２】
しかして、３１は重量設置物４の底板４ａの縁部上面にセットされる上方挟み板で、この上方挟み板３１の中央部にはすり鉢状の孔３２が形成されている。一方、３３は固定枠１１側にセットされるワッシャ、３４は締め付けナット、３５はボルトである。
【実施例】
【００２３】
次に、この欄では図５乃至図７に示す第２実施例について説明する。なお、この第２実施例は、前記第１実施例の目的に他の目的（据付現場の凹所や傾斜面の状況に対応して高さ調整が簡単にできること。）を加味したので、主要部と同一の部分には同一または同様の符号を付して重複する説明を省略する。
【００２４】
この第２実施例に於いて、前記第１実施例と主に異なる点は、次の通りである。
【００２５】
（ａ）図５で示すように設置床下面１Ａの重量設置物４の設置箇所に、たまたま傾斜面３が存在する時に、第２の据付固定具５Ａを重量設置物４の底板４ａの下面に取付けたことである。
【００２６】
（ｂ）第２の据付固定具５Ａは、重量設置物４の底板４ａの底面に添設される固定枠１１と、この固定枠１１に垂直状態に差込固定され、かつ、固定枠１１を前記底板４ａに固着する機能を有する高さ調節部材２０Ａと、この高さ調節部材２０Ａに対して所要の間隔を有して離間し、かつ、前記固定枠１１を前記底板４ａに固着する固着手段３０とから構成されている。
【００２７】
（ｃ）前記高さ調節部材２０Ａは、図６及び図７で示すように、固定枠１１の下方に位置する大径支持孔１６及び上方に位置する小径第１貫通孔１３にそれぞれ差込嵌合し、かつ、重量設置物４の底メネジ孔６に螺合する嵌合支持脚２１と、高さ調節するために、嵌合支持脚２１の下端部に所要位置まで螺着する揺動螺杆部２７Ａを有するボルト状支持脚２２Ａとから成る。
【００２８】
（ｄ）そして、前記ボルト状支持脚２２Ａは、區形状の据付板部（揺動受け板）２６Ａと、この据付板部２６Ａの中央部に突出形成された枠状の軸受け部４２と、この軸受け部４２に摺動可能に係止された部分的球面形状（ソロバン玉形状）又は全体的球面形状（球状）の係合部４３を有する揺動螺杆部２７Ａと、この揺動螺杆部２７Ａの下端部に固定的に周設されたナット部４４とから成る。
【００２９】
なお、前記据付板部２６Ａの両端部には、アンカーボルト用の据付け孔４５が形成されている。また、据付板部２６Ａの中央部には開口４６が形成されており、前記球面形状の係合部４３は、枠状軸受け部４２に規制された範囲内で自由に回動できる。
【００３０】
しかして、第２実施例の典型例は、図５で示すように、設置床面１Ａに凹所２と傾斜面３とが存在する場合に於いて、重量設置物４を設置する時、高さ調節部材２０、２０Ａは適宜選択的に両方使用される。つまり、重量設置物４の底板４ａの一方側の固定枠１１に高さ調節部材２０を螺着し、一方、底板４ａの他方側の固定枠１１に揺動螺合杆２７Ａを有する高さ調節部材２０Ａを螺着する。
【００３１】
したがって、設置床面１Ａに単数又は複数の傾斜面３が存在する時は、第１実施例のボルト状支持脚２２に代えて、嵌合支持脚２１に揺動可能なボルト状支持脚２２Ａをねじ込む。この時、ボルト状支持脚２２Ａのナット部４４に図示しない工具の先端部を嵌め合わせ、所定の位置まで高さ調節をする。
【産業上の利用可能性】
【００３２】
本発明は、熱交換機など重量設置物を固定的に設置する際に用いられる。
【図面の簡単な説明】
【００３３】
図１乃至図４は本発明の第１実施例を示す各説明図。図５乃至図７は本発明の第２実施例を示す各説明図
【図１】第１実施例の正面視からの説明図。
【図２】主要部の概略断面説明図。
【図３】主要部の分解斜視図。
【図４】主要部の分解説明図。
【図５】第１実施例の正面視からの説明図。
【図６】主要部の概略断面説明図。
【図７】主要部の分解斜視図。
【符号の説明】
【００３４】
1…設置床面、２…凹所、３…傾斜面、４…重量設置物、４ａ…底板、５．５Ａ…据付固定具、６…底メネジ孔、７…底貫通孔、１１…固定枠、１２…当接支持板、１３…第１貫通孔、１４…第２貫通孔、１５…下方支持短板、１６…大径支持孔、１７…下端開口部分、２０．２０Ａ…高さ調節部材、２１…嵌合支持脚、２２、２２Ａ…支持脚、２３…メネジ部、２４…縦長ナット、２５…オネジ部、２６．２６Ａ…据付板部、２７…非揺動型調節螺杆部、２７…揺動螺合杆、２９…係合腕、３０…固着手段、４２…軸受け部、４３…係合部、４４…ナット部、４５…据付け孔、４６…開口。
【図１】
2005155747.tif 000003
【図２】
2005155747.tif 000004
【図３】
2005155747.tif 000005
【図４】
2005155747.tif 000006
【図５】
2005155747.tif 000007
【図６】
2005155747.tif 000008
【図７】
2005155747.tif 000009